【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
少なくとも１つのデバイス分類レベルルールに従って、集中化された企業レベルデータにアクセスするために、コンピューティングデバイスによって行われる試行を管理するためのコンピュータ実装方法であって、
コンピュータによって、コンピューティングデバイスの複数のクラスを定義する工程と、
前記コンピュータによって、特定のコンピューティングデバイスに関する属性に基づいて、複数のコンピューティングデバイスのうちの各前記特定のものの定義を、前記複数の定義されたクラスのうちの特定のものに割り当てる工程と、
前記コンピュータによって、集中化された企業レベルデータにアクセスするために、未分類のコンピューティングデバイスからの要求を受信する工程であって、前記受信された要求が、前記未分類のコンピューティングデバイスに関する情報を含む、工程と、
前記コンピュータによって、前記受信された要求から前記未分類のコンピューティングデバイスに関する情報を読み取る工程と、
前記受信された要求から読み取られる前記コンピューティングデバイスに関する情報に少なくとも部分的に基づいて、前記コンピュータによって、前記未分類のコンピューティングデバイスを、前記複数の定義されたクラスのうちの特定のものに分類する工程と、
前記コンピューティングデバイスの前記特定の定義されたクラスへの前記分類に応答して、少なくとも１つのデバイス分類レベルルールに従って、前記コンピュータによって、集中化された企業レベルデータにアクセスするための前記受信された要求を統制する工程であって、前記少なくとも１つのデバイス分類レベルルールが、前記特定の定義されたクラスのコンピューティングデバイスに対するアクセスポリシーを指定する、工程と、
特定のクラスに割り当てられていない前記未分類のコンピューティングデバイスの定義に応答して、前記受信された要求から読み取られる前記コンピューティングデバイスに関する情報を、定義が定義されたクラスに割り当てられている複数のコンピューティングデバイスに関する対応する情報と比較する工程と
を含み、
前記受信された要求から読み取られる前記コンピューティングデバイスに関する情報を、定義が定義されたクラスに割り当てられている複数のコンピューティングデバイスに関する対応する情報と比較する工程は、
複数の属性からの少なくともいくつかの属性を比較することと、
前記複数の属性の少なくともいくつかに異なる重みを割り当てることであって、属性に割り当てられる重みは、不明なものを分類する目的のために最も類似する既知のモバイルデバイスを判定するときの前記属性の重要性のレベルを反映する、ことと、
同じ定義を有する不明なコンピューティングデバイスのその後のインスタンスを分類するように、前記コンピューティングデバイスの前記分類を保存することと、
を含む、方法。
【請求項２】
前記コンピューティングデバイスが、モバイルコンピューティングデバイスを更に備える、請求項１に記載の方法。
【請求項３】
集中化された企業レベルデータにアクセスするための前記未分類のコンピューティングデバイスからの前記要求が、企業ネットワーク上のデータをモバイルコンピューティングデバイス上のデータと同期させるための未分類の前記モバイルコンピューティングデバイスからの要求を更に含む、請求項１に記載の方法。
【請求項４】
前記企業ネットワーク上のデータを前記モバイルコンピューティングデバイス上のデータと同期させるための前記未分類のモバイルコンピューティングデバイスからの前記要求が、前記企業ネットワークにアクセスし、Ｅｘｃｈａｎｇｅ  ＡｃｔｉｖｅＳｙｎｃを介してデータを同期させるための要求を更に含む、請求項３に記載の方法。
【請求項５】
コンピューティングデバイスの前記複数のクラスを定義することが、
企業レベルアドミニストレータから少なくともいくつかのクラス定義を受信することを更に含む、請求項１に記載の方法。
【請求項６】
特定のコンピューティングデバイスに関する属性に基づいて、複数のコンピューティングデバイスのうちの各前記特定のものの定義を、前記複数の定義されたクラスの特定のものに割り当てることが、
名称、モデル番号、タイプ、ＩＤ、オペレーティングシステム名、及びオペレーティングシステムバージョンからなる属性群からの特定のコンピューティングデバイスに関する少なくともいくつかの属性に基づいて、コンピューティングデバイスの定義を定義されたクラスに割り当てることを更に含む、請求項１に記載の方法。
【請求項７】
前記受信された要求から前記未分類のコンピューティングデバイスに関する情報を読み取ることが、
前記受信された要求に含まれる前記未分類のコンピューティングデバイスのインベントリを読み取ることを更に含む、請求項１に記載の方法。
【請求項８】
前記受信された要求から前記未分類のコンピューティングデバイスに関する情報を読み取ることが、
名称、モデル番号、タイプ、ＩＤ、オペレーティングシステム名、及びオペレーティングシステムバージョンからなる属性群から、前記受信された要求からの前記未分類のコンピューティングデバイスに関する少なくともいくつかの属性を読み取ることを更に含む、請求項１に記載の方法。
【請求項９】
前記未分類のコンピューティングデバイスを前記複数の定義されたクラスのうちの特定のものに分類することが、
情報の前記比較に基づいて、前記複数のコンピューティングデバイスのうちの特定のものを、前記未分類のコンピューティングデバイスに最も類似するとして判断することと、
前記未分類のコンピューティングデバイスを、最も類似するとして判断される前記コンピューティングデバイスの定義が割り当てられている特定のクラスに分類することと、
を更に含む、請求項１に記載の方法。
【請求項１０】
企業レベルアドミニストレータによるいかなる追加の行為も必要とすることなく、個々のユーザが企業レベルデータにアクセスすることを許容される、複数の特定のクラスの各々のコンピューティングデバイスの数を制限する分類レベルルールに基づいて、個々のユーザが、複数の特定のクラスの各々の最大で特定の数のコンピューティングデバイスのみを使用して、企業レベルデータに各々自動的にアクセスすることを許可することを更に含む、請求項１に記載の方法。
【請求項１１】
個々のユーザが各々自己登録することを許容される、複数の特定のクラスの各々のコンピューティングデバイスの数を制限する分類レベルルールに基づいて、個々のユーザが、複数の特定のクラスの各々の最大で特定の数のコンピューティングデバイスのみを使用して、各々自己登録することを許可することと、
企業レベルアドミニストレータによるいかなる追加の行為も必要とすることなく、個々のユーザが、企業レベルデータに、それらに登録されたコンピューティングデバイスで自動的にアクセスすることを許可することを更に含む、請求項１に記載の方法。
【請求項１２】
異なるデバイス分類レベルルールに従って、集中化された企業レベルデータにアクセスするために、異なるユーザによって行われる受信された要求を統制することを更に含み、前記異なるデバイス分類レベルルールが、異なるクラスのユーザに対して異なるアクセスポリシーを指定する、請求項１に記載の方法。
【請求項１３】
少なくとも１つのデバイス分類レベルルールに従って、集中化された企業レベルデータにアクセスするために、コンピューティングデバイスによって行われる試行を管理するためのコンピュータシステムであって、
少なくとも１つのプロセッサと、
システムメモリと、
前記システムメモリ内に存在するクラス定義モジュールであって、コンピューティングデバイスの複数のクラスを定義するようにプログラムされている、クラス定義モジュールと、
前記システムメモリ内に存在するデバイス定義割り当てモジュールであって、複数のコンピューティングデバイスのうちの各特定のものの定義を、前記特定のコンピューティングデバイスに関する属性に基づいて、前記複数の定義されたクラスのうちの特定のものに割り当てるようにプログラムされている、デバイス定義割り当てモジュールと、
前記システムメモリ内に存在する要求受信モジュールであって、集中化された企業レベルデータにアクセスするための未分類のコンピューティングデバイスからの要求を受信するようにプログラムされており、前記受信された要求が、前記未分類のコンピューティングデバイスに関する情報を含む、要求受信モジュールと、
前記システムメモリ内に存在する要求読み取りモジュールであって、前記受信された要求からの前記未分類のコンピューティングデバイスに関する情報を読み取るようにプログラムされている、要求読み取りモジュールと、
前記システムメモリ内に存在するデバイス分類モジュールであって、前記受信された要求から読み取られる前記コンピューティングデバイスに関する情報に少なくとも部分的に基づいて、前記未分類のコンピューティングデバイスを、前記複数の定義されたクラスのうちの特定のものに分類するようにプログラムされている、デバイス分類モジュールと、
前記システムメモリ内に存在するアクセス統制モジュールであって、前記コンピューティングデバイスの前記特定の定義されたクラスへの前記分類に応答して、少なくとも１つのデバイス分類レベルルールに従って、集中化された企業レベルデータにアクセスするための前記受信された要求を統制するようにプログラムされており、前記少なくとも１つのデバイス分類レベルルールが、前記特定の定義されたクラスのコンピューティングデバイスに対するアクセスポリシーを指定する、アクセス統制モジュールと、
特定のクラスに割り当てられていない前記未分類のコンピューティングデバイスの定義に応答して、前記受信された要求から読み取られる前記コンピューティングデバイスに関する情報を、定義が定義されたクラスに割り当てられている複数のコンピューティングデバイスに関する対応する情報と比較する情報比較モジュールと
を備え、
前記受信された要求から読み取られる前記コンピューティングデバイスに関する情報を、定義が定義されたクラスに割り当てられている複数のコンピューティングデバイスに関する対応する情報と比較することは、
複数の属性からの少なくともいくつかの属性を比較することと、
前記複数の属性の少なくともいくつかに異なる重みを割り当てることであって、属性に割り当てられる重みは、不明なものを分類する目的のために最も類似する既知のモバイルデバイスを判定するときの前記属性の重要性のレベルを反映する、ことと、
同じ定義を有する不明なコンピューティングデバイスのその後のインスタンスを分類するように、前記コンピューティングデバイスの前記分類を保存することと、
を含む、コンピュータシステム。
【請求項１４】
コンピューティングデバイスの前記複数のクラスを定義することは、複数のデフォルトクラス定義を供給することを更に含む、請求項１に記載の方法。
【請求項１５】
企業レベルアドミニストレータから、アクセスポリシーを指定する少なくとも１つのデバイス分類レベルルールを受信することを更に含む、請求項１に記載の方法。